(57)【特許請求の範囲】
【請求項１】
入力セルのチャンネル識別番号の分離手段と、前記セルの到着時刻の計測手段と、予め設定される前記セルの到着時刻の間隔を示す間隔規定値を前記チャンネル識別番号別に記憶する第１の記憶手段と、前記チャンネル識別番号別に過去最新の到着時刻を記憶する第２の記憶手段と、当該チャンネル識別番号の前記間隔規定値と前記過去最新の到着時刻から前記セルの到着時刻の推定値を算出する加算手段とを備え、前記セルの到着時刻が前記間隔規定値を満たすことを監視する流量監視装置であって、
前記計測手段は計数手段と、該計数手段のカウント値より到着セルのチャンネル識別番号の加減算を行う演算手段とから成り、前記第２の記憶手段の記憶領域を示す前記チャンネル識別番号か前記カウント値を選択する第１の選択手段と、前記演算手段の結果が零となる記憶領域が示す前記第２の記憶手段に記憶する過去最新の到着時刻に、前記計数手段のカウント値の周回による補正を行う補正手段と、前記計測手段の出力する到着時刻と前記加算手段の出力する推定値を選択する第３の選択手段と、該第３の選択手段の出力と前記補正手段の出力を選択する第２の選択手段と、予め設定される前記セルの遅延揺らぎ時間の許容値を記憶する第３の記憶手段と、前記計測手段の到着時刻と前記加算手段の推定値との減算を行う減算手段と、該減算手段の結果と前記第３の記憶手段の許容値を比較する比較手段とを設けたことを特徴とする流量監視装置。
【発明の詳細な説明】
【０００１】
【発明の属する技術分野】
本発明は、セルを用いた通信制御装置等に利用する流量監視装置に関するものである。
【０００２】
【従来の技術】
従来この種の流量監視装置は、図３に示すブロック図のように構成されている。図３において、１は入力セルのチャンネル識別番号を分離する分離手段、２はセルの到着時刻を計測する計測手段、３はチャンネル識別番号毎にセル到着時刻の間隔を示す予め設定された間隔規定値を記憶する第１の記憶手段、４は、前回記憶した到着時刻を出力し、チャンネル識別番号毎に計測手段２からの到着時刻を過去最新の到着時刻(以下、過去最新時刻という)として記憶する第２の記憶手段、５は、チャンネル識別番号毎の第１の記憶手段３の間隔規定値と第２の記憶手段４の過去最新時刻とを加算し、到着時刻の推定値を算出する加算手段、６は計測手段２が計測する到着時刻と加算手段５が算出する推定値との比較を行う比較手段である。
【０００３】
以上のように構成される流量監視装置は、監視対象のセルが入力されると分離手段１によりセルのチャンネル識別番号が分離され、さらに計測手段２により入力されたセルの到着時刻が計測される。分離されたチャンネル識別番号が示す、第１の記憶手段３のチャンネル識別番号別に記憶されている間隔規定値が出力され、同様に第２の記憶手段４に記憶されているセル到着の過去最新時刻が出力される。この間隔規定値と過去最新時刻の各出力は、加算手段５に入力されて加算され到着時刻の推定値として算出される。計測手段２の計測した到着時刻は、第２の記憶手段４に入力され前回記憶した過去最新時刻と置き換えられて、新たな過去最新時刻としてチャンネル識別番号毎に記憶される。また、加算手段５の算出した到着時刻の推定値と計測手段２の計測した到着時刻が比較手段６に入力され、その比較結果により計測した到着時刻が推定値より小さい場合に、流量監視情報として流量超過の警報を出力するように動作する。
【０００４】
なお、前記従来例のこの動作は監視対象のセルが入力される毎に行われ、次のセルが入力されるまでの間には終了する。
【０００５】
【発明が解決しようとする課題】
しかしながら、このような構成の流量監視装置では、小さく簡易な機器構成で装置を実現するためにセルの到着時刻の計測手段を巡回カウンタで構成する場合に、巡回カウンタの周回に合わせて第２の記憶手段に記憶している過去最新時刻を補正する必要があるため、多チャンネルを監視する機器構成の実現が難しいという問題があった。
【０００６】
本発明は、前記従来技術の問題を解決するものであり、多チャンネルで入力される各セルを小さく簡易な機器構成でその流量を監視することができる優れた流量監視装置を提供することを目的とする。
【０００７】
【課題を解決するための手段】
この目的を達成するために、本発明に係る流量監視装置は、入力セルのチャンネル識別番号の分離手段と、計数手段とそのカウント値よりセルのチャンネル識別番号の加減算を行う演算手段とから成るセルの到着時刻の計測手段と、予め設定されるセルの到着時刻の間隔を示す間隔規定値をチャンネル識別番号別に記憶する第１の記憶手段と、チャンネル識別番号別に過去最新時刻を記憶する第２の記憶手段と、チャンネル識別番号の間隔規定値と過去最新時刻からセルの到着時刻の推定値を算出する加算手段と、第２の記憶手段の記憶領域を示すチャンネル識別番号かカウント値を選択する第１の選択手段と、演算手段の結果が零となる記憶領域が示す第２の記憶手段に記憶する過去最新時刻に、計数手段のカウント値の周回による補正を行う補正手段と、計測手段の出力する到着時刻と加算手段の出力する推定値を選択する第３の選択手段と、第３の選択手段の出力と補正手段の出力を選択する第２の選択手段と、予め設定される前記セルの遅延揺らぎ時間の許容値を記憶する第３の記憶手段と、計測手段の到着時刻と加算手段の推定値との減算を行う減算手段と、減算手段の結果と第３の記憶手段の許容値を比較する比較手段を備えるように構成したものである。
【０００８】
前記構成によれば、カウント値の更新により指定される第２の記憶手段の記憶する過去最新時刻を、計数手段のカウント値の周回による最大値から０に設定し直された後に補正を行い、多チャンネルの監視であっても小さな機器構成でセルの到着間隔を監視できる。
【０００９】
さらに、セルの到着時刻と到着時刻の推定値との差を求めて、遅延揺らぎ時間の許容値と比較することで遅延揺らぎ時間に応じた流量を監視することができる。
【００１０】
【発明の実施の形態】
以下、図面を参照して本発明の実施の形態を詳細に説明する。
【００１１】
図１は本発明の実施の形態１を説明するための参考例における流量監視装置の構成を示すブロック図である。また、前記従来例の図３で説明した同一の作用効果のものには同一の符号を付す。
【００１２】
図１において、１は分離手段、２は計測手段、３は第１の記憶手段、５は加算手段、６は比較手段、10は計数手段としてカウント値が０から最大値までを繰り返してカウントを行う巡回カウンタ、11は演算手段として巡回カウンタ10のカウント値と分離手段１で分離したチャンネル識別番号との減算を行う減算器、12はチャンネル識別番号とカウント値の選択をする第１の選択手段、13は計測手段２で計測したセルの到着時刻と後述する補正手段の出力を選択する第２の選択手段、14は、第１の選択手段12からの出力で指定される記憶領域の読み出し、および第２の選択手段13からの出力を第１の選択手段12の出力が指定する記憶領域へ書き込みを行い、また巡回カウンタ10のカウント値の最大値から最大値×−１までの範囲の値を記憶できる第２の記憶手段、15は、カウント値の指定する第２の記憶手段14の記憶領域から出力される値を判定し、その補正を行う補正手段である。
【００１３】
また、前記従来例と同様に監視対象のセルが入力される毎に以下の動作が行われ、次のセルが入力されるまでの間にはその動作は終了する。巡回カウンタ10はセル到着間隔の計測時間の単位でカウント値を１ずつカウントアップを行う。
【００１４】
前記のように構成される本参考例において、その動作を説明する。まず、第２の記憶手段14には第１の選択手段12を経て巡回カウンタ10からのカウント値が入力される。第２の記憶手段14は入力されたカウント値により指定される記憶領域に記憶された値を補正手段15に出力する。補正手段15は、カウント値の指定する第２の記憶手段14の出力値が、０以上または０未満の判定を行う。さらにその出力値が０以上であるとき巡回カウンタ10の最大値を減算した値を、また０未満であるとき第２の記憶手段14に記憶できる最小値(例えば、巡回カウンタ10のカウントする−最大値)を第２の選択手段13に出力する。第２の選択手段13からの出力は前記カウント値の指定する第２の記憶手段14の記憶領域に再び記憶される。以上の動作を巡回カウンタ10のカウント値が周回する度に順次繰り返す。
【００１５】
次に、巡回カウンタ10のカウント値が周回するまでの間の動作において、監視対象のセルが入力されて分離手段１により、そのセルのチャンネル識別番号が分離される。従来例と同様に、分離されたチャンネル識別番号の指定する第１の記憶手段３の間隔規定値と第２の記憶手段14の過去最新時刻とを加算手段５で加算し到着時刻の推定値を求める。また、そのセルの到着時刻は計測手段２にて計測が行われており、前記の推定値と比較手段６で比較されて流量監視情報として出力される。
【００１６】
また、この計測手段２から出力される到着時刻は、各チャンネル識別番号毎に到着時刻が最大値から０に設定し直され、タイミングが重ならないように、巡回カウンタ10のカウント値からチャンネル識別番号を減算したものである。この到着時刻は第２の選択手段13を経て、チャンネル識別番号の示す第２の記憶手段14の記憶領域に新たな過去最新時刻として記憶される。
【００１７】
さらに巡回カウンタ10のカウント値が周回して最大値を超えて０からカウントを始め、巡回カウンタ10のカウント値が示す値がチャンネル識別番号と一致したとき、その値が指定する第２の記憶手段14の記憶する過去最新時刻を補正手段15により補正する。これ以降の入力セルにより計測される到着時刻は、前回に記憶された過去最新時刻より小さくなるためにその補正が必要となる。
【００１８】
補正手段15により前回の過去最新時刻から巡回カウンタ10の最大値を減算し、補正した値を第２の選択手段13を経て、第２の記憶手段14に過去最新時刻として記憶する。次の入力セルで計測される同じチャンネル識別番号の到着時刻は、巡回カウンタ10の０からカウントした時刻となる。また、補正により記憶されている過去最新時刻は、前回の到着時刻から巡回カウンタ10の最大値を減算して、補正前の過去最新時刻から最大値までの時刻を示すマイナス値であり、間隔規定値との加算により到着時刻の推定値を得ることができる。
【００１９】
このように巡回カウンタ10のカウント値が最大値から０に設定し直されても、セルの到着時刻を補正することができ、多チャンネルの監視であっても小さな機器構成で入力セルの流量を監視できる。
【００２０】
また、本参考例では演算手段を減算器11として、巡回カウンタ10のカウント値とチャンネル識別番号の減算を行ったが、加算器に代えても同様の動作を行うことができる。
【００２１】
図２は本発明の実施の形態１における流量監視装置の構成を示すブロック図である。また、前記参考例の図１において説明した同一の作用効果のものには同一の符号を付す。図２において、１は分離手段、２は計測手段、３は第１の記憶手段、５は加算手段、10は巡回カウンタ、11は減算器、12は第１の選択手段、13は第２の選択手段、14は第２の記憶手段、15は補正手段、16は計測手段２の計測した到着時刻と加算手段５の算出した推定値を選択する第３の選択手段、17はチャンネル識別番号別に予め設定された遅延揺らぎ時間の許容値を記憶する第３の記憶手段、18は計測手段２の計測した到着時刻と加算手段５の算出した推定値の減算を行う減算手段、19は第３の記憶手段17の出力する許容値と減算手段18の出力値を比較する比較手段である。
【００２２】
本実施の形態１において、前記参考例の構成に第３の選択手段16，第３の記憶手段17，減算手段18，比較手段19を設けたものであり、前記参考例と同様の動作が監視対象のセルが入力される毎に行われ、次のセルが入力されるまでの間にはその動作は終了する。また、加算手段５から出力される到着時刻の推定値を求めるまでの動作は同様であるためその説明は省略する。
【００２３】
減算手段18は、加算手段５の算出した推定値と計測手段２の計測した到着時刻の減算をして、到着時刻の差を求め比較手段19に出力する。比較手段19は、第３の記憶手段17に記憶している許容値と減算手段18の算出した到着時刻の差を比較し、その結果がセルの到着間隔が少なくなる方向で許容値を超えている場合に、流量監視情報として流量超過の警報を出力する。
【００２４】
前記の比較手段19の結果が、セルの到着間隔が増える方向で許容値を超えている場合は、第３の選択手段16により計測された到着時間を選択して第２の選択手段13に出力する。また、セルの到着間隔が増える方向で許容値を超えていない場合には、第３の選択手段16により加算手段５の算出した到着時刻の推定値を選択して第２の選択手段13に出力する。これらの出力は前記参考例と同じように第２の選択手段13を経て第２の記憶手段14に記憶される。
【００２５】
以上のことから、前記参考例の効果に加え、セルの到着時刻と推定値との差を求めて、遅延揺らぎ時間の許容値と比較することで、遅延揺らぎ時間を考慮してセルの到着時刻を監視することができ、多チャンネルの監視であっても小さな機器構成で入力セルの流量を監視できる。
【００２６】
【発明の効果】
以上説明したように、本発明によれば、カウント値が最大値から０に設定し直されても、カウント値の更新により指定される第２の記憶手段に記憶された過去最新の到着時刻を補正し、さらに、セルの到着時刻と到着時刻の推定値との差を求めて、遅延揺らぎ時間の許容値と比較することで遅延揺らぎ時間に応じた流量監視を行い、多チャンネルの監視であっても小さな機器構成で入力セルの流量を監視することができるという効果を奏する。
【図面の簡単な説明】
【図１】  本発明の実施の形態１を説明するための参考例における流量監視装置の構成を示すブロック図である。
【図２】  本発明の実施の形態１における流量監視装置の構成を示すブロック図である。
【図３】  従来の流量監視装置の構成を示すブロック図である。
【符号の説明】
１…分離手段、  ２…計測手段、  ３…第１の記憶手段、  ４，14…第２の記憶手段、  ５…加算手段、  ６，19…比較手段、  10…巡回カウンタ、  11…減算器、  12…第１の選択手段、  13…第２の選択手段、  15…補正手段、  16…第３の選択手段、  17…第３の記憶手段、  18…減算手段。
【図１】
0003645635.tif 000002
【図２】
0003645635.tif 000003
【図３】
0003645635.tif 000004